(57)【要約】【課題】あらかじめ定められた数の種子を確実に播種することができ、構造や操作が簡便で取り扱いしやすく安価な、落花生、大豆等の播種装置を提供する。【解決手段】種子ホッパ２１の内底部に供給予備室２２を設け、ホッパ底部と供給予備室の間に底部傾斜面に沿って制御板２４を設置する。そして可撓性材質の間仕切板２５を挟んで供給予備室２２に隣接して種子供給室２３を設け、その下方に種子保持穴２７を設けた繰出しプレート２６を、前記供給予備室と種子供給室との間を往復動可能に設ける。更に種子供給室の真下に位置するようにガイドパイプ３１を設け、それに播種パイプ３２とシャッターパイプ３５を昇降可能に組み合わせて設け、設置輪４の回動により駆動力を得て、適宜の伝達機構を介して前記繰出しプレートと播種パイプを関連づけて作動させ、一定間隔で地面に播種するように構成した。【選択図】　　　　図３
2004049031.tif 000002
【特許請求の範囲】
【請求項１】
漏斗形状の種子ホッパ（２１）の内底部に供給予備室（２２）を設け、ホッパ底部と供給予備室（２２）の間に底部傾斜面に沿って制御板（２４）を出入調節自在に設置し、制御板（２４）先端部とホッパ壁面との間隔を適宜の寸法に調整することにより、供給予備室（２２）に流入する種子の数量を調節できるようにするとともに、可撓性材質の間仕切板（２５）を挟んで供給予備室（２２）に隣接して種子供給室（２３）を設け、その下方に種子保持穴（２７）を設けた繰出しプレート（２６）を設け、その種子保持穴（２７）が前記供給予備室（２２）と種子供給室（２３）との間を、略水平に往復動可能に構成したことを特徴とする、落花生、大豆等の播種装置。
【請求項２】
機体フレーム（２）の前後方向略中央付近、前記種子供給室（２３）の真下に位置するように中空のガイドパイプ（３１）を略垂直に下方に向け固着して設け、内側に播種パイプ（３２）を昇降自在に嵌装して、さらに播種パイプ（３２）の下部外側には摺動自在にシャッターパイプ（３５）を嵌装し、播種パイプ（３２）とシャッターパイプ（３５）とで播種パイプ下部の播種口（３４）を開閉可能に構成するとともに、装置後方に設けた接地輪（４）の回転により駆動力を得て、ピッチ円周上に等間隔に複数の作動ピン（９）を固設した作動板（８）を回転させて、適宜のレバー、アーム、連結ロッドを介して前記繰出しプレート（２６）の略水平往復動と、播種パイプ（３２）及びシャッターパイプ（３５）の昇降動作とを関連づけて作動させ、所定数の種子を一定間隔で地面に播種するように構成したことを特徴とする、請求項１記載の落花生、大豆等の播種装置。
【発明の詳細な説明】
【０００１】
【発明の属する技術分野】
本発明は農用走行車に連結され、落花生のような楕円形の大径の種子、又は大豆のような円形の大径種子を一定間隔で畑地に播種する、播種装置に関するものである。
【０００２】
【従来の技術】
従来から、農用走行車に連結された機枠を進行させつつ、地面に浅い孔をあけてその中へ種子を落としていくようにした播種装置は公知となっている。例えば実公昭５７−１５６０６号公報に記載の技術の如くである。　又、比較的大粒の種子を１粒ないし数粒ずつ繰り出すようにした、種子の繰出し機構に関する技術も、例えば実公平７−３９３７６号公報に記載されているように、種子を保持する穴を設けたゴムベルトや、プラスチック製の板をリンクで連結したベルト状の繰出し装置を、種子ホッパの下端に設けたものや、実公平７−５０８８６号公報に記載されているように、円盤状の目皿の外周部分に種子嵌入孔を設けたものをホッパの底部に水平又は傾斜させて設け、回転させることにより所定の位置で排出するようにした、目皿式繰出し装置などが公知となっている。
【０００３】
【発明が解決しようとする課題】
上記実公昭５７−１５６０６号公報に記載のものは、周面に数個の凹所を穿った繰り出しロールと調整板により、種子を適量ずつ地面に吐出する構造なので、白菜や大根のような比較的小粒径の種子には好適であるが、大粒径の大豆や大径楕円形の落花生の種子の播種には適しておらず、また、実公平７−３９３７６号公報に記載されているような、リンク式搬送ベルトを複数のピースによってループ状に形成し、各ピースの表面に種子を収納する凹部を設け、ホッパから種子を繰り出すようにした種子繰出し装置では、ホッパ部に入れた種子の全重量が各ピースの凹部に収納された種子にかかるため、ホッパから所定の数の種子を繰り出す際に予定通りの数が収納されなかったり、種子に傷が付くおそれがあった。
【０００４】
また、ベルト式或いは目皿式の繰出し装置を備えたものは、ベルト又は目皿を駆動するために機関動力を必要とし、構造も複雑で高価であった。
【０００５】
本発明は上記の不具合を解消し、あらかじめ定められた数の種子を確実に播種することができて、構造や操作が簡便で取り扱いしやすく安価な、落花生、大豆等の播種装置を提供しようとするものである。
【０００６】
【課題を解決するための手段】
上記の不具合を解消するため本発明の播種装置では、漏斗形状の種子ホッパの内底部に供給予備室を設け、ホッパ底部と供給予備室の間に底部傾斜面に沿って制御板を設置し、制御板先端部とホッパ壁面との間隔を調整することにより、供給予備室に流入する種子の数量を調節できるようにし、さらに可撓性材質の間仕切板を挟んで供給予備室に隣接して種子供給室を設け、その下方に所定数の種子を保持できる繰出しプレートを、前記供給予備室と種子供給室との間を略水平に往復動可能に設けた。
【０００７】
また、機体フレームの中央付近、前記種子供給室の真下に位置するようにガイドパイプを固着して設け、内側に播種パイプを昇降自在に嵌装して、さらに播種パイプの下部外側には摺動自在にシャッターパイプを嵌装し、播種パイプとシャッターパイプとで播種パイプ下部の播種口を開閉可能に構成する。
【０００８】
そして装置後方に設けた接地輪の回転により駆動力を得て、ピッチ円周上に等間隔に複数の作動ピンを固設した作動板を回転させて、適宜のレバー、アーム、連結ロッドを介して前記繰出しプレートの略水平往復動と、播種パイプ及びシャッターパイプの昇降動作とを関連づけて作動させ、所定数の種子を一定間隔で地面に播種するように構成した。
【０００９】
【発明の実施の形態】
発明の実施の形態を実施例にもとづき図面を参照して説明する。
図１において、１は播種装置で、この播種装置１は図示しない耕耘機等農用走行車の機体の後部に着脱自在に連結して使用される。２は播種装置の機体フレームで、その上部には、底部に種子繰出し部を設けた種子ホッパ２１を載置し、後部下方には両側に接地輪４が固着された駆動軸３を備えている。
【００１０】
駆動軸３は後述する播種パイプ３２の先端が播種地面に対して、播種に適した深さの孔を穿つ事ができるように、適宜の構成により上下に調節可能となっている。接地輪４はその周面に配設した多数の突片によって、農用走行車の進行に従って確実に回転される。駆動軸３の回転はスプロケット５、チェン６を介して従動軸７に伝達され、従動軸７に固着された作動板８が回転する。
【００１１】
作動板８には従動軸７を中心とする一定のピッチ円周上に、複数の作動ピン９が配設されていて、作動板８の回転により後述する揺動レバー１１が所定の角度に振り子状に揺動される。揺動レバー１１は揺動軸１０に着脱可能に固着されていて、この揺動軸１０には繰出しプレート２６を略水平に往復動させる繰出しアーム１２と、播種パイプ３３及びシャッターパイプ３５を略垂直に昇降させる昇降アーム１３が略直角状に固着されている。
【００１２】
機体フレーム２上部に載置した漏斗形状の種子ホッパ２１の内底部に供給予備室２２を設け、ホッパ底部と供給予備室２２の間にホッパ底部傾斜面に沿って、ホッパ壁面との間隔を調節可能に制御板２４を設置し、供給予備室２２に自然落下して入る種子の数量を調節できるようにした。実施例では種子の楕円短辺より若干広くしてある。そして可撓性材質の間仕切板２５を介して供給予備室２２に隣接して種子供給室２３を設け、その下方に所定数の種子を保持できる繰出しプレート２６を、略水平に前記供給予備室２２と種子供給室２３との間を往復動可能に設けた。この繰出しプレート２６は、種子の径とほぼ同等の厚さを有し、所定数の種子が嵌入出来る種子保持穴２７が設けられている。また、前記間仕切板２５は繰出しプレート２６が移動する際に種子保持穴２７に嵌入した種子以外の種子が供給予備室２２から種子供給室２３に侵入することを防止する。
【００１３】
そして繰出しプレート２６の一方の端部には、みぞ穴を設けた連結ロッドＡ１４がボルト、ナットで微調節可能に連結され、他方には戻しスプリング２８が連結されている。連結ロッドＡ１４のみぞ穴には前記繰出しアーム１２の先端部に固着した連結ピンＡ１７が左右に移動可能に遊嵌されていて、繰出しアーム１２が揺動されることにより繰出しプレート２６も略水平方向に引っ張られ、種子保持穴２７に嵌入した種子が種子供給室２３に移動してガイドパイプ３１内に落下した後、戻しスプリング２６により初期の位置に引き戻される。
【００１４】
機体フレーム２の中央付近、前記種子供給室２３の真下に位置するように固着したガイドパイプ３１には、内側に播種パイプ３２を昇降自在に嵌装して、さらに播種パイプ３２の下部外側には摺動自在にシャッターパイプ３５を嵌装する。ガイドパイプ３１、播種パイプ３２、シャッターパイプ３５は水平方向に回動しないように、それぞれ四角形状の角パイプで形成している。播種パイプ３２は一方に丸穴、他の一方にみぞ穴を設けた連結ロッドＢ１５を介して昇降アーム１３先端部に連結されている。また、シャッターパイプ３５は両端部に丸穴を設けた連結ロッドＣ１６を介して昇降アーム１３の適宜の位置に連結されていて、昇降アーム１３の上下揺動動作に関連して昇降動作する。
【００１５】
播種パイプ３２の下端部は、播種装置１前進側の側壁を後方側に斜め下方に向けて傾斜させ種子受け部３３を形成し、さらにその先端部は左右部を切除してＶ字形とし略垂直に折り下げ、播種地面への穿孔を容易にする。そして後方側の側壁下部は適宜寸法で切除して播種口３４を形成する。播種パイプ３２の外側に嵌装したシャッターパイプ３５下端部は最下降時及び最上昇時に播種パイプ３２の播種口３４を閉じるように形成し、さらに播種パイプ３２の種子受け部３３とほぼ対象形に下端から上方に向けて後方に傾け、地面に側面視Ｖ字形の播種孔を穿設する穿孔板３６を固設する。シャッターパイプ３５下部に固着した３７は土押え板を兼ねたウェートで播種パイプ３２及びシャッターパイプ３５が自重で勢い良く下降するようにする。また、シャッターパイプ３５の中間部に係合ピン３８を着脱可能に設け、播種パイプ３２に設けたみぞ穴の下端部に係合させ、シャッターパイプ３５と播種パイプ３２は先端の播種口３４を閉じた状態で同時に下降するようにする。
【００１６】
ここで一連の播種動作について図を参照して説明する。
農用走行車の進行により接地輪４が回転すると、駆動軸３、スプロケット５、チェン６を介して従動軸７の作動板８が回転し、作動ピン９が揺動レバー１１を押し下げると揺動軸１０を支点として固着されている繰出しアーム１２と昇降アーム１３が同時に揺動する。この時繰出しプレート２６は戻しスプリング２８に引っ張られて種子保持穴２７に種子を保持して初期の位置に止まっている。繰出しプレート２６は繰出しアーム１２が後方に揺動を開始しても繰出しアーム１２先端部に固着した連結ピンＡ１７が連結ロッドＡ１４のみぞ穴の後端部に達するまで移動を開始しない。
【００１７】
播種パイプ３２とシャッターパイプ３５は、播種口３４を閉じた状態で最下降位置にあり、播種パイプ下端の種子受け部３３に種子を保持していて、昇降アーム１３の上方への揺動により、まず先に連結ロッドＣ１６で連結したシャッターパイプ３５が上昇して播種口３４が開口し、さらに昇降アーム１３が上方へ揺動して、連結ロッドＢ１５が引き上げられみぞ穴の下端部が播種パイプ３２に固着した連結ピンＢ１８に達すると、播種パイプ３２も上昇して種子受け部３３に保持されていた種子は、播種パイプ３２下端部とシャッターパイプ３５下端部に設けた穿孔板３６により地面に穿設した播種孔に落下する。
【００１８】
揺動レバー１１が作動ピン９に押され、さらに図中左方向へ揺動すると、繰出しアーム１２先端の連結ピンＡ１７は連結ロッドＡ１４のみぞ穴後端部に達し、戻しスプリング２８の引き張力に抗して、繰出しプレート２６は後方（図中右方向）へ移動する。そして種子保持穴２７が種子供給室２３に達すると、保持されていた種子は、ガイドパイプ３１を通過して播種パイプ３２に落下供給されるのである。
【００１９】
この時、作動ピン９の揺動レバー１１への押し作用は最終位置に達して、播種パイプ３２とシャッターパイプ３５は先端部の播種口３４を閉じた状態で最上昇位置にある。そして、この直後に揺動レバー１１先端から作動ピン９が外れると、戻しスプリング２８の引き張力により繰出しプレート２６は勢い良く初期の位置に戻る。同時に、昇降アーム１２に連結されたシャッターパイプ３５と播種パイプ３２は播種口３４を閉じたままの状態で自重により下降するが、昇降アーム１２にも戻しスプリング２８の引き張力は作用するので、戻しスプリング２８の引き張力に加勢されて勢い良く下降して、地面に達するとシャッターパイプ３５と播種パイプ３２の先端部で播種孔を穿設する。
【００２０】
以上で一連の播種作業の作用動作は終了する。そして、回転している作動板８の次の作動ピン９が初期の位置に戻った揺動レバー１１に当接し、これを押し下げることにより播種作業が繰り返されるのである。
【００２１】
【発明の効果】
本発明は、以上説明したように構成されているので、以下に記載されるような効果を奏する。
【００２２】
漏斗形状の種子ホッパ２１の内底部に供給予備室２２を設け、ホッパ底部と供給予備室の間にホッパ底部傾斜面に沿って制御板２４を設置し、制御板先端部とホッパ壁面との間隔を調整することにより、供給予備室２２に流入する種子の数量を調節できるようにしたので、繰出しプレート２６の種子保持穴２７に確実に所定数の種子が保持され、上方からの余分な圧力がかからないので、繰出しプレート２６が移動して播種パイプ３２に種子を供給する際に種子を傷つけることがない。
【００２３】
また、装置後方に設けた接地輪４の回転により駆動力を得て、複数のピンを等間隔に固設した作動板８を回転させて、適宜のアーム、連接ロッドを介して前記供給予備室２２の下方に設けた繰出しプレート２６と、播種パイプ３２及びシャッターパイプ３５を関連づけて作動させ、確実に所定数の種子を一定間隔で地面に播種するように構成したので、装置全体が簡単に製造でき、メンテナンス等の取り扱いが簡単に出来る。
【００２４】
また、繰出しプレート２６を簡単に交換できるので、種子の種類や播種数に応じて種子保持穴２７の大きさを変えたり、種子の大きさに合わせて厚みを変えた繰出しプレート２６を数種類用意しておけば、１台の播種装置で異なった作物の播種作業が出来る。
【００２５】
また、マルチフィルムを敷設した畝の播種作業であっても、播種パイプ３２の下端先端部をＶ字形に鋭利に加工してあるので、フィルムを切り裂き畝地に播種孔を穿設し適数の種子を播種する事が出来る。
【００２６】
【図面の簡単な説明】
【図１】本発明の実施例を示す播種装置の全体側面図である。
【図２】播種装置の背面図である。
【図３】種子繰出し部の実施例を示す断面図である。
【図４】播種パイプとシャッターパイプの先端部の実施例を示す断面図である。
【図５】播種パイプ先端部の後方視図である。
【図６】昇降アームが最下降時の作用説明図である。
【図７】播種口が開口したときの作用説明図である。
【図８】供給プレートを後方に引き始めるときの作用説明図である。
【図９】供給プレートが最後方まで引かれ播種パイプが最上昇したときの作用説明図である。
【符号の説明】
Ａ　種子
１　播種装置
２　機体フレーム
３　駆動軸
４　接地輪
５　スプロケット
６　チェーン
７　従動軸
８　作動板
９　作動ピン
１０　揺動軸
１１　揺動レバー
１２　繰出しアーム
１３　昇降アーム
１４　連結ロッドＡ
１５　連結ロッドＢ
１６　連結ロッドＣ
１７　連結ピンＡ
１８　連結ピンＢ
１９　連結ピンＣ
２１　種子ホッパ
２２　供給予備室
２３　種子供給室
２４　制御板
２５　間仕切板
２６　繰出しプレート
２７　種子保持穴
２８　戻しスプリング
３１　ガイドパイプ
３２　播種パイプ
３３　種子受け部
３４　播種口
３５シャッターパイプ
３６　穿孔板
３７　ウェート
３８　係合ピン
【図１】
2004049031.tif 000003
【図２】
2004049031.tif 000004
【図３】
2004049031.tif 000005
【図４】
2004049031.tif 000006
【図５】
2004049031.tif 000007
【図６】
2004049031.tif 000008
【図７】
2004049031.tif 000009
【図８】
2004049031.tif 000010
【図９】
2004049031.tif 000011